(57)【要約】【課題】人が歩行するときに履くための革、ゴム、布又は木等で製作された履物であって人足の健康面を考慮し、その底面部等に敷く中敷の技術を提供する。【解決手段】略長方形の形状を有する生地９ａと、スキン９ｂを一体化した低反発本体部９ｃとフィルム９ｄとを用意して、上から生地９ａ、低反発本体部９ｃ、フィルム９ｄ順で接着剤又は両面テープ等の接着手段を用いて生地９ａ、低反発本体部９ｃ、フィルム９ｄの相互間に於いて張り合わせる。次に、プレス機械等を用いて使用に供する形状の低反発部材９を完成する。【選択図】図１
2010022519.tif 000002
【特許請求の範囲】
【請求項１】
履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有したことを特徴とする履物の中敷。
【請求項２】
履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有し、さらに平面外形状が人足の足裏の外形状でなり、全体が表面部材、底面部材、該両面部材間に空間部を形成してなる薄板状袋体で構成されると共に該空間部に流動液を密封し複数かつ所望数の堰でなる凹陥部を形成しかつ該凹陥部のうち略中央部の凹陥部が芳香剤を収納・取出し自在にする芳香剤凹陥部にしたウォーターインソールを有したことを特徴とする履物の中敷。
【請求項３】
履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有し、さらに平面形状が略三角形であって、該低反発部材の末端部分の形状に適合させた頭部と一方側と他方側とで構成されたО脚用補助部材を該低反発部材の下面に敷設したことを特徴とする履物の中敷。
【請求項４】
履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有し、さらに平面形状が半瓢箪形状であって低反発部材の末端部分の形状に適合させた頭部と一方側と他方側とで構成されたＸ脚用補助部材を該低反発部材の下面に敷設したことを特徴とする履物の中敷。
【請求項５】
履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有し、平面形状が略矩形の外反母趾用補助部材を該低反発部材の略中央部分の下面に敷設したことを特徴とする履物の中敷。
【発明の詳細な説明】
【技術分野】
【０００１】
本発明は、人が歩行するときに履くための革、ゴム、布又は木等で製作された履物であって人足の健康面を考慮し、その底面部等に敷く中敷に関する。
【背景技術】
【０００２】
この種、従来の技術に於ける例としては、図１１に示す特開平１−１２６９０５号公開特許公報に開示された技術がある。これについて説明すれば、エチレン−酢酸ビニル共重合体製上下２枚の靴底形状のシート１、２の周縁部を融着してなる密封袋体３で、その内部空間４には、水５が部分的に封入されている。水の封入程度は図１１に示すように、使用時に身体の重心のかけ方により足６から負荷される足の荷重部分は異なるが、この荷重部分において前記上下２枚のシート１、２が接触し、他の荷重の弱い部分に水が移動して上下２枚のシート１、２が空間を形成している。これは前記空間４全域に水を注入したり、あるいは部分的に注入しても最大荷重部分に水の存在する空間に水を注入しておくと、使用者は常に流体上にあることになるのでは、長時間使用すると疲労するからである。
また、前記密封袋体３の中央部の上面には、足６の裏の土踏まず６ａに接触しており、部分的に上下２枚のシート１、２を融着して水５に対する複数のバリヤを形成する。これは、このようにして形成される中敷内の水５が、該中敷に負荷される水５によって密封袋体３内を流動する際に障壁となって、該水５を緩慢に流動させ、その間に足６の他の部位を押圧して刺激を与える。また、第１１図に示すように、２枚のシート１、２の周縁融着部をその足先部７においては最周縁部だけでなく、その内側にも少なくとも１本の前記周縁部に連続して複数段の融着部を形成しておける最内側融着部で密封されるので、使用する靴の寸法に応じて切断する。そして各シート１，２を形成するエチレン−酢酸ビニル共重合体は、酢酸ビニルを５〜３０重量％、例えば８〜２０重量％含有するエチレン酢酸ビニルとの共重合体であって、その数平均分子量は１０，０００〜１５０，０００例えば３０，０００〜１００，０００である。すなわち酢酸ビニル含有量が５重量％未満では柔軟性およびシール性が不十分であり、一方、３０重量％を越えると、柔軟性の発現が困難となる。前記エチレン−酢酸ビニル共重合体シートの厚みは０．３〜１．０ｍｍ、例えば０．４〜０．８ｍｍである。８はシートの後端部である。
【特許文献１】特開平１−１２６９０５号公開特許公報
【発明の開示】
【発明が解決しようとする課題】
【０００３】
従来の技術は、叙上の構成であるので次の課題が存在した。
図１１に示す従来技術に於いては、人の歩行動作で足６の踵が接触するシートの後端部８や足６の爪先部分が接触するシートの足先部７に前記密封袋体３内に注入された水５が流動せず長時間の歩行により足６の疲労が惹起されるという問題があった。
また、従来の技術に於いては、密封袋体３内には水５を注入しているがこれが、これが遠赤外線放射機能を有しておらず長時間の歩行等により、足６の血行促進をすることができず、また冬期に於ける足６の冷え性等が克服できないという問題点があり、これを解消するには遠赤外線効果を有すべくシート１、２の追加工程が要請され、該シート１、２、が高価になるという欠点があった。
また、人が長時間の歩行することによりシート１、２に異臭が発生し、これを交換するか又は該シート１、２に消臭スプレーを散布しなければならないという問題点があった。
さらに、人がО脚、Ｘ脚の場合や足の形状が例えば外反母趾の場合には従来に於ける中敷ではその対策がなされていないという問題点があった。
本発明が解決しようとする課題は、上記背景技術に存在する問題点を解決することにある。
【課題を解決するための手段】
【０００４】
本発明に係る履物の中敷は叙上の問題点を解決すべく発明したものであって、次の構成、手段から成立する。
【０００５】
すなわち、請求項１記載の発明によれば、履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有したことを特徴とする。
【０００６】
請求項２記載の発明によれば、履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有し、さらに平面外形状が人足の足裏の外形状でなり、全体が表面部材、底面部材、該両面部材間に空間部を形成してなる薄板状袋体で構成されると共に該空間部に流動液を密封し複数かつ所望数の堰でなる凹陥部を形成しかつ該凹陥部のうち略中央部の凹陥部が芳香剤を収納・取出し自在にする芳香剤凹陥部にしたウォーターインソールを有したことを特徴とする。
【０００７】
請求項３記載の発明によれば、履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有し、さらに平面形状が略三角形であって、該低反発部材の末端部分の形状に適合させた頭部と一方側と他方側とで構成されたО脚用補助部材を該低反発部材の下面に敷設したことを特徴とする。
【０００８】
請求項４記載の発明によれば、履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有し、さらに平面形状が半瓢箪形状であって低反発部材の末端部分の形状に適合させた頭部と一方側と他方側とで構成されたＸ脚用補助部材を該低反発部材の下面に敷設したことを特徴とする。
【０００９】
請求項５記載の発明によれば、履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有し、平面形状が略矩形の外反母趾用補助部材を該低反発部材の略中央部分の下面に敷設したことを特徴とする。
【発明の効果】
【００１０】
本発明に係る履物の中敷は、叙上の構成を有するので次の効果がある。
【００１１】
すなわち、請求項１記載の発明によれば、履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有したことを特徴とする履物の中敷を提供する。
このような構成としたので、適度な吸湿性や履物の中敷としての耐摩耗性及び耐擦過性を有し、人体の皮膚と接触したときに良好な感触を有し、該生地を繊維材料とすることによって抗菌機能を付与することが可能であり、スキンは前記生地と低反発本体部とを良好に貼着させるための介在層としての役割を果たすことができ、低反発本体部は外力によって変形した部位が緩慢に原形状に復元する性質を有するので感触が良いばかりではなく、人体に装着した場合に局部的な圧迫が少なく重圧が広い面積に分散されるので血行を阻害せず、かつ衝撃吸収特性を向上させることができ、歩行時に人足の足裏に印加される衝撃を著しく減少させることができるという効果がある。
【００１２】
また、請求項２記載の発明によれば、履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有し、さらに平面外形状が人足の足裏の外形状でなり、全体が表面部材、底面部材、該両面部材間に空間部を形成してなる薄板状袋体で構成されると共に該空間部に流動液を密封し複数かつ所望数の堰でなる凹陥部を形成しかつ該凹陥部のうち略中央部の凹陥部が芳香剤を収納・取出し自在にする芳香剤凹陥部にしたウォーターインソールを有したことを特徴とする履物の中敷を提供する。
このような構成としたので、請求項１記載の発明の効果に加えて、歩行に於いて人足の荷重が足裏部分に於ける踵から土踏まずから足の指に移行するに従って空間部内の流動液が流動し、低反発部材を円滑に押圧するという効果がある。
【００１３】
また、請求項３記載の発明によれば、履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有し、さらに平面形状が略三角形であって、該低反発部材の末端部分の形状に適合させた頭部と一方側と他方側とで構成されたО脚用補助部材を該低反発部材の下面に敷設したことを特徴とする履物の中敷を提供する。
このような構成としたので、請求項１記載の発明の効果に加えて、低反発部材の下面に敷設したО脚用補助部材に人の荷重が加わり、О脚用補助部材がこれを吸収し歩行を円滑にすることができるという効果がある。
【００１４】
また、請求項４記載の発明によれば、履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有し、さらに平面形状が半瓢箪形状であって低反発部材の末端部分の形状に適合させた頭部と一方側と他方側とで構成されたＸ脚用補助部材を該低反発部材の下面に敷設したことを特徴とする履物の中敷を提供する。
このような構成としたので、請求項１記載の発明の効果に加えて、低反発部材の下面に敷設したＸ脚用補助部材に人の荷重が加わり、Ｘ脚用補助部材がこれを吸収し歩行を円滑にすることができるという効果がある。
【００１５】
さらに、請求項５記載の発明によれば、履物の内底面部に敷設する中敷であって、平面外形状が人足の足裏の外形状でなり長手方向の前方部分に前方通気孔及び後方通気孔を貫通配置すると共に略中央部分に芳香剤の匂いを放出可能にする通気孔を備えると共に生地と、該生地の裏面に貼着するスキンと、該スキンの裏面に配置した低反発本体部と、該低反発本体部の裏面に配置したフィルムとで構成された低反発部材を有し、平面形状が略矩形の外反母趾用補助部材を該低反発部材の略中央部分の下面に敷設したことを特徴とする履物の中敷を提供する。
このような構成としたので、請求項１記載の効果に加えて、外反母趾に係る歩行者はその足の指部分に前記外反母趾用補助部材が敷設されていないので、外反母趾を罹患した足の指を収容する空間を確保することができ、履物の中で当該足の指が自由自在に動けて窮屈な状態にしないという効果がある。
【発明を実施するための最良の形態】
【００１６】
以下、本発明に係る履物の中敷に於ける実施の形態について添付図面に基づき詳細に説明する。
【００１７】
図１は、本発明に係る履物の中敷に於ける実施の形態を示す図面であって、当該履物の中敷の一方足側を示す平面図、図２は図１の矢視Ａ−Ａ線方向の断面図、図３は当該履物の中敷の一方足側に於ける裏面部材の平面図、図４は図２に示すＢ部の拡大断面図である。
【００１８】
９は例えば人が歩行するとき履くための革製、ゴム製、布製、又は木製等履物の内底面部に敷く中敷を構成する表面部材としての低反発部材であって、該履物の内底面の形状を備え、その平面外形状が人足の足裏の外形状にほぼ一致する一方足側、本例では右足側の低反発部材である。該低反発部材９は図４に示すようにその第１部材としての生地９ａと、その第２部材としてのスキン９ｂと、その第３部材としての低反発本体部９ｃと、その第４部材としてのフィルム９ｄで構成する。
【００１９】
生地９ａは例えば抗菌処理を施したナイロン製又はポリエステル製等の布であり、前記履物の内底面部に於いて人足の足裏が直接接触する面を構成する。該生地９ａの材料は被服品の材料として一般的なナイロン製又はポリエステル製等の繊維材料であるから、適度な吸湿性や履物の中敷としての耐摩耗性及び耐擦過性を有しており、また人体の皮膚と接触したときに良好な感触を有する構成とする。また該生地９ａを繊維材料とすることによって抗菌機能を付与することが可能である。
【００２０】
スキン９ｂは前記生地９ａの裏面に配置してポリウレタン樹脂の薄い膜でなり、前記低反発本体部９ｃの上面に塗布し又は熱融着等で密着し該低反発本体部９ｃと一体化している。当該スキン９ｂの表面に前記生地９ａを貼着させるので、スキン９ｂは前記生地９ａと低反発本体部９ｃとを良好に貼着させるための介在層としての役割を果たす。
【００２１】
低反発本体部９ｃは前記スキン９ｂの裏面に配置して低反発部材９の重要な要素であって低反発弾性を有する低反発弾性発泡ポリウレタン樹脂で構成する。該低反発弾性発泡ポリウレタン樹脂はその主成分としてのポリオール類及とポリイソシアネート類並びに発泡を制御するための発泡剤、整泡剤、触媒、及び必要に応じて着色剤等を配合しかつ混合して型枠内でスポンジ状に発泡させた成形材料でなる。成形後に該成形材料を所定厚さ例えば２（ｍｍ）のシートに加工する。また低反発本体部９ｃを構成する低反発弾性発泡ポリウレタン樹脂は気泡が連通しており、例えば低反発本体部９ｃに外力を印加して圧縮した後に外力を取除いた際、該外力によって変形した部位が緩慢に原形状に復元する性質を有する。また通常の発泡ウレタン樹脂に比較して例えば反発弾性率が１５％以下と非常に小さい反発弾性率を付与することが可能であり、感触が良いばかりではなく、人体に装着した場合に局部的な圧迫が少なく重圧が広い面積に分散されるので血行が阻害されることが少ない。また、低反発本体部９ｃは弾性を抑えて粘性を増大させた特性を付与した低反発弾性発泡ポリウレタン樹脂とすることが可能である。そしてヒステリシスロス率を増大させて衝撃吸収特性を向上させることができ、低反発本体部９ｃは履物の中敷として歩行時に人足の足裏に印加される衝撃を著しく減少させることができる。
【００２２】
フィルム９ｄは低反発本体部９ｂｃの裏面に配置してポリエチレンテレフタレート（ＰＥＴ）樹脂等のフィルムであって、その厚さは例えば０．０５から０．１（ｍｍ）程度である。フィルム９ｄは柔軟性に富みかつ耐摩耗性や耐引裂き性にすぐれているので、前記の低反発本体部９ｃの下面を良好に被覆・保護する。
【００２３】
次に低反発部材９の作成方法を説明する。所定幅長例えば１（ｍ）で所定長さが例えば２（ｍ）の略長方形の形状を有する生地９ａと、スキン９ｂを一体化した低反発本体部９ｃとフィルム９ｄとを用意して、上から生地９ａ、低反発本体部９ｃ、フィルム９ｄ順で接着剤又は両面テープ等の接着手段を用いて生地９ａ、低反発本体部９ｃ、フィルム９ｄの相互間に於いて張り合わせる。次に、プレス機械等を用いて図１に示すような形状に打抜いて使用に供する形状の低反発部材９を完成する。
【００２４】
９ｅは人足の足裏に空気を流通させるため長手方向の前方部分に於いて前方通気孔であって、低反発部材９に例えば単一に穿孔・貫通している。その穿孔位置は人足を構成する骨格の内、第２中足骨（図示せず）と第３中足骨（図示せず）の略中間部であってかつ第２中足骨と第３中足骨の略中央よりやや前方部に相当する位置に於ける足裏部分である。また当該前方通気孔９ｅの位置はウォーターインソール１０の前方に形成されかつ第１堰として機能する前方凹陥部１０ａの上方に位置する。ここで該ウォーターインソール１０は例えばエチレン−酢酸ビニル共重合体樹脂（ＥＶＡ）材料やポリエステル材料、ナイロン材料等で形成され、また、柔軟性や弾力性に富み、軽量かつ無公害の素材でありポリエチレンの如き塩素を包含せず焼却してもダイオキシンが発生せず環境上好ましい材料で形成される。
【００２５】
９ｆ、９ｆは空気を人足の足裏に流通させるための長手方向の前方部分に於いて前記前方通気孔９ｅの後方に位置する後方通気孔であって、左・右に配設し、低反発部材９に穿孔・貫通している。その穿孔位置は人足を構成する骨格の内、第２中足骨（図示せず）と第３中足骨（図示せず）の略中間部であってかつ第２中足骨と第３中足骨の略中央よりやや後方部に相当する位置に於ける足裏部分である。また当該後方通気孔９ｆ、９ｆの位置はウォーターインソール１０の中間位置に形成されかつ第２堰として機能する中間凹陥部１０ｂの上方に位置する。
【００２６】
９ｇは人足の足裏、特に土踏まず部分に例えば消臭シート、消臭袋体や薬剤等でなる芳香剤１１からの匂いを放出するための通気孔であって、当該低反発部材９に於ける長さ方向の略中央部分に複数個又は多数個を図１及び図２に示すように破線で示す略楕円形の枠Ｂ内で該低反発部材９に穿孔・貫通している。人が歩行しているとき通気孔９ｇから常に匂いを足裏に放出しているので足裏が健康でかつ清潔に保持される。
【００２７】
前記ウォーターインソール１０の略中央部には第３堰として機能すると共に前記芳香剤１１を収納する芳香剤収納凹陥部１０ｃを形成している。該芳香剤１１は装置したままの構成やウォーターインソール１０から使用済みのものは取出して新規なものに取替え収納取出し自在に構成する。
該芳香剤収納凹陥部１０ｃの形成位置は前記中間凹陥部１０ｂの後方である。該芳香剤収納凹陥部１０ｃは上面側、つまり前記低反発部材９に形成した通気孔９ｇ・・・に接する面側は開放しているが同一素材で覆設してもよい。上面側を覆設するときはこの上面に前記通気孔９ｇ・・・に連通する通気孔を形成する必要がある。
【００２８】
ウォーターインソール１０には全体形状の長手方向の後方であって第4堰として機能する後方凹陥部１０ｄを形成する。そして、人足が低反発部材９を踏込んだとき該後方凹陥部１０ｄは人足を形成する骨格の内、距骨や舟状骨に相当する位置に於ける足裏部分に位置する。前記ウォーターインソール１０は全体が薄板状袋体で構成され、その表面部材１０Ａとその底面部材１０Ｂでなる。該表面部材１０Ａと該底面部材１０Ｂとの間に空間部１０Ｃが存在する。この空間部１０Ｃは図２及び図３に示すように第５空間部１０ｅ、第４空間部１０ｆ、第３空間部１０ｇ、第２空間部１０ｈ及び第１空間部１０ｉで構成し、これらは互いに連通し、一つの空間部を構成している。そして、この一つの空間部、つまり空間部１０Ｃ内に前述した第１堰として機能する前方凹陥部１０ａ、第２堰として機能する中間凹陥部１０ｂ、第３堰として機能する芳香剤収納凹陥部１０ｃ及び第４堰として機能する後方凹陥部１０ｄ、１０ｄをそれぞれ形成して区切りを設けている。そして第１ないし第４堰を機能させるために、それぞれ各種の形状、例えば第１堰として機能する長円形状、第２堰として機能する楕円形状、第３堰として機能する卵形状及び第４堰として機能するくびれ形状等を形成している。
【００２９】
前記の一つの空間部、つまり空間部１０Ｃ内には流動液１２を密封している。この流動液１２は例えば水溶液すなわち、各種の水又は水に食品添加剤を加えたプロピレングリコール液で構成する。従って当該流動液１２は前述した第１ないし第５空間部１０ｉないし１０ｅに密封されている。そして人足の足裏で低反発部材９を踏込むと前記第１ないし第５空間部１０ｉないし１０ｅが圧縮されその内部に密封された流動液１２が押し出され空間部１０Ｃ内を流動する。
尚、１０ｊは該ウォーターインソール１０の先端部分に形成した調整カット溝であり単一又は複数個を図３に示すように略円弧状に形成している。あらゆる人の足のサイズに適合させるように該ウォーターインソール１０の長さを予め長目に設定し、必要に応じて該調整カット溝１０ｊの調整カット溝１０ｊ部分を切断工具で切断し使用に供する。
【００３０】
上述の説明に於いて人が歩行するとき一般的には各種の履物の底面部に先ず、前記したウォーターインソール１０を敷設し、さらに該ウォーターインソール１０の上面に低反発部材９を乗せて中敷を構成する。しかし、本発明はこれに限定せず、該ウォーターインソール１０の前端部分及び後端部分の上面に若しくは該ウォーターインソール１０の周縁部分の上面に前記低反発部材９の下面を貼付け又は一部係止して使用に供することもできる。つまり、該低反発部材９をウォーターインソール１０とは別部品として構成するか、又は一体製品として構成するかは本発明に係る履物の中敷の設計事項に属する。
【００３１】
次に本発明に係る履物の中敷に於ける実施の形態についてその作用等を説明する。
各種の履物に於ける底面部にウォーターインソール１０及び低反発部材９を敷設する。人は歩行するとき、例えば該低反発部材９の上面の後端を人の足裏部分であってその踵で踏込めば人足は図３で示す第５空間部１０ｅを圧迫し、該第５空間部１０ｅの内部に密封された流動液１２が押圧された矢印ａの方向に示すように第５空間部１０ｅから第４空間部１０ｆに流れる。このとき、後方凹陥部１０ｄ、１０ｄは第４堰を形成し、その流路は狭隘となり流動液１２は流速を速めて流れる。そして、該第３堰としての芳香剤収納凹陥部１０ｃが障害となり、該第４空間部１０ｆは矢印ｂ、ｂ方向に示すように流動液１２の流路が２系路に分れ、分流する。そして第３空間部１０ｇに第２堰としての中間凹陥部１０ｂを形成してあり、この上・下に存在する極めて狭い流路に分流され、流動液１２は矢印ｃ、ｃ方向に流れ込む。さらに流動液１２は前方凹陥部１０ａを越え矢印ｄ方向に流れる。人足の荷重は当初足裏部分に於ける踵から土踏まず、そして足の指に移行する。人の足裏部分に於ける踵が前記低反発部材９から解放すれば人足の荷重は足の指部分に集中する。そこで、空間部１０Ｃ内の流動液１２は前述した各矢印ａ〜ｄの逆方向に再び流動する。このように人が歩行することにより人足の荷重が足裏部分の踵から足の指まで交互に移行しながら加わり前記低反発部材９を円滑に押圧する。
【００３２】
而してこの低反発部材９によりその表面が生地９ａで構成されることから、適度な吸湿性や履物の中敷としての耐摩耗性及び耐擦過性を有し、人体の皮膚と接触したときに良好な感触を有し、また該生地９ａを繊維材料とすることによって抗菌機能を付与することが可能であるという特徴があって、これを使用する人が円滑に歩行できる。
【実施例１】
【００３３】
次に本発明に係る履物の中敷に於ける実施例１について図５及び図６（ａ）、（ｂ）に基づき説明する。
図５は当該本発明に係る実施例１を示す斜視図であって、人に於ける下肢の形態に適応して具体的にはО脚の場合、中敷としての前記低反発部材９に加え、該低反発部材９の下面に敷設するО脚用補助部材１３を備えた図面である。ここで人の下肢がО脚とは両側の膝付近を中心とした外側凸の変形である。
【００３４】
前記О脚用補助部材１３はゴム材料や樹脂材料で形成される柔軟性素材で約６（ｍｍ）程度の薄板状に作製され全体形状が図６（ａ）、（ｂ）に示すように平面形状が略三角形状でありその頭部１３ａは人の踵の外縁に適合したいわゆる円弧状形状でなる。またО脚用補助部材１３の頭部１３ａの形状は低反発部材９の末端部分の形状に適合させる。該О脚用補助部材１３は頭部１３ａと一方側１３ｂと他方側１３ｃとで構成されてなりこれを該低反発部材９の下面に敷設したとき、図５に示すように一方側１３ｂは該低反発部材９の下面の内方に位置させると共に他方側１３ｃは該低反発部材９の外縁部９ｈに適合かつ位置させる。従ってО脚用補助部材１３の他方側１３ｃの形状は例えば流線形のように人足の外縁に合わせて図５に示すように低反発部材９の外縁部９ｈの形状に合致することが望ましい。
【００３５】
また、О脚用補助部材１３の頭部１３ａは図６（ｂ）に示すように図６（ａ）の矢印Ｃ−Ｃ線方向から見たとおりその側面を略くの字状に形成し、その斜面１３ｄを有した突起体に形成している。従って該О脚用補助部材１３の表面１３Ａと裏面１３Ｂの面積は差異が存し、該裏面１３Ｂの方が該表面１３Ａより広い構成である。このようにしたので該О脚用補助部材１３を低反発部材９の下面に安定した状態で敷設でき、さらに人足が該低反発部材９の上面を踏んだとき、この圧縮変形を円滑に許容できるという作用がある。また該頭部１３ａの厚さＨ１は例えば５〜６（ｍｍ）程度であって、その表面１３Ａは先端方向になるに従って厚さが薄くなり先端１３ｅは表面１３Ａと裏面１３Ｂが一致する。
【００３６】
そして当該低反発部材９の中敷を使用する人がО脚である場合、該О脚用補助部材１３を該低反発部材９の下面に敷設する。かくして該О脚用補助部材１３は図５に示す低反発部材９の補助部材エリア９Ａの下面に設定・配置される。そして歩行の際、О脚の人足はその外側辺部分、つまり補助部材エリア９Ａ部分に人の荷重が加わり、該О脚用補助部材１３がこれを吸収し歩行を円滑にする。
【００３７】
尚、上記実施例１は上述の実施例に限定されるものではなく、該低反発部材９の下面に前述した図３に示すようなウォーターインソール１０を敷設し、さらに該ウォーターインソール１０の下面に該О脚用補助部材１３を敷設して使用してもよい。上述した図５に示す実施例１のほかの構成、作用は図1、図２等に示す実施の形態のものと略同一であり同一番号、符号を付しその説明を省略する。
【実施例２】
【００３８】
次に本発明に係る履物の中敷に於ける実施例２について図７及び図８（ａ）、（ｂ）に基づき説明する。
図７は本発明に係る実施例２を示す斜視図であって、人の下肢の形態がＸ脚の場合に適応して、中敷としての前記低反発部材９に加え、該低反発部材９の下面に敷設するＸ脚用補助部材１４を備えた図面である。ここで人の下肢がＸ脚とは両側の膝付近を中心とした外側凹の変形である。
【００３９】
前記Ｘ脚用補助部材１４は前記О脚用補助部材１３と同一材料、材質で構成され、全体形状が図８（ａ）、（ｂ）に示すように平面形状が半瓢箪形状でありその頭部１４ａは人の踵の外縁に適合したいわゆる円弧状形状でなる。また、Ｘ脚用補助部材１４の頭部１４ａの形状は低反発部材９の末端部分の形状に適合させる。該Ｘ脚用補助部材１４は頭部１４ａと一方側１４ｂと他方側１４ｃとで構成されてなりこれを該低反発部材９の下面に敷設したとき、図７に示すように一方側１４ｂは該低反発部材９の下面の内方に位置させると共に他方側１４ｃは該低反発部材９の外縁部９ｈに適合かつ位置させる。従ってＸ脚用補助部材１４の他方側１４ｃの形状は例えば瓢箪外形状のように人足の外縁に合わせて図７に示すように低反発部材９の外縁部９ｈの形状に合致することが望ましい。
【００４０】
また、Ｘ脚用補助部材１４の頭部１４ａは図８（ｂ）に示すように図８（ａ）の矢印Ｄ−Ｄ線方向から見たとおりその側面を略逆くの字状に形成し、その斜面１４ｄを有した突起体に形成されている。従って該Ｘ脚用補助部材１４の表面１４Ａと裏面１４Ｂの面積は差異が存し、該裏面１４Ｂの方が該表面１４Ａより広い構成である。このようにしたので該Ｘ脚用補助部材１４を低反発部材９の下面に安定した状態で敷設でき、さらに人足が該低反発部材９の上面を踏んだとき、この圧縮変形を円滑に許容できるという作用がある。また該頭部１４ａの厚さＨ２は例えば５〜６（ｍｍ）程度であって、その表面１４Ａは先端方向になるに従って厚さが薄くなり先端１４ｅは表面１４Ａと裏面１４Ｂが一致する。
【００４１】
そして当該低反発部材９の中敷を使用する人がＸ脚である場合、該Ｘ脚用補助部材１４を該低反発部材９の下面に敷設する。かくして該Ｘ脚用補助部材１４は図７に示す低反発部材９の補助部材エリア９Ｂの下面に設定・配置される。そして歩行の際、Ｘ脚の人足はその内側辺部分、つまり補助部材エリア９Ｂ部分に人の荷重が加わり、該Ｘ脚用補助部材１４がこれを吸収し歩行を円滑にする。
【００４２】
尚、上記実施例２は上述の実施例に限定されるものではなく、該低反発部材９の下面に前述した図３に示すようなウォーターインソール１０を敷設し、さらの該ウォーターインソール１０の下面に該Ｘ脚用補助部材１４を敷設して使用してもよい。上述した図７に示す実施例２のほかの構成、作用は図1、図２等に示す実施の形態のものと略同一であり同一番号、符号を付しその説明を省略する。
【実施例３】
【００４３】
次に本発明に係る履物の中敷に於ける実施例３について図９及び図１０（ａ）、（ｂ）に基づき説明する。
図９は本発明に係る実施例３を示す平面図であって、人の足指に於ける形態が異常な場合、いわゆる外反母趾に適応して中敷としての前記低反発部材９に加え、該低反発部材９の下面に外反母趾用補助部材１５を備えた図面である。ここで外反母趾とは人の足に於いてその指が小指側に曲る異常状態をいうのであって、靭帯性外反母趾、仮骨性外反母趾、混合性外反母趾等各種の症例がある。本発明はかかる症例に適応させる外反母趾用補助部材１５を提供する。
【００４４】
前記外反母趾用補助部材１５は前述したО脚用補助部材１３と同一材料、材質で構成され図１０（ａ）、（ｂ）に示すように表面１５Ａの平面形状がその左・右縁１５ｃ、１５ｄを円弧状に形成した全体形状が略矩形であり、その前後縁１５ａ、１５ｂは上方から見れば直線又は曲線状の縁取り端面形状となっている。そしてこれを図９に示すように該低反発部材９の下面に於ける図９の斜線で示す略中央部分９Ｃに敷設する。該外反母趾用補助部材１５は全体が低反発部材９からはみ出すことなく収置されかつ外反母趾用補助部材１５の上面から見れば覆設された状態にある。
【００４５】
また、該外反母趾用補助部材１５の前縁１５ａは裏面１５Ｂに向って側面形状に直線状又は円弧状の傾斜面１５ｅを、外反母趾用補助部材１５の後縁１５ｂは裏面１５Ｂに向って側面形状に直線状又は円弧状の傾斜面１５ｆをそれぞれ形成し、裏面１５Ｂを表面１５Ａより広い面積に構成している。
このようにしたので該外反母趾用補助部材１５を低反発部材９の下面に安定した状態で敷設でき、さらに人足が該低反発部材９の上面を踏んだとき、この圧縮変形を円滑に許容できるという作用がある。
【００４６】
該外反母趾用補助部材１５の厚さＨ３は図１０（ａ）の矢印Ｅ−Ｅ方向から見た図１０（ｂ）から明らかなように約３〜４（ｍｍ）程度であり人が歩行したとき、適宜に弾力性を保持するように確保している。そして、外反母趾に係る歩行者はその足の指部分には前記外反母趾用補助部材１５が敷設されておらず、履物の中で自由自在に動けるように当該指を窮屈な状態にすることのない設置状態としている。
【００４７】
尚、上記実施例３は上述の実施例に限定されるものではなく、該低反発部材９の下面に前述した図３に示すようなウォーターインソール１０を敷設し、さらの該ウォーターインソール１０の下面に該外反母趾用補助部材１５を敷設して使用してもよい。上述した図９に示す実施例３のほかの構成、作用は図1、図２等に示す実施の形態のものと略同一であり同一番号、符号を付しその説明を省略する。
【図面の簡単な説明】
【００４８】
【図１】本発明に係る履物の中敷に於ける実施の形態を示す図面であって、当該履物の中敷の一方足側を示す平面図である。
【図２】図１の矢視Ａ−Ａ線方向の断面図である。
【図３】本発明に係る履物の中敷に於ける実施の形態を示す図面であって、当該履物の中敷の一方足側に於ける裏面部材の平面図である。
【図４】図２に示すＦ部の拡大断面図である。
【図５】本発明に係る履物の中敷於ける実施例１を示す図面であって、中敷としての低反発部材に加え、該低反発部材の下面に敷設するО脚用補助部材を備えた斜視図である。
【図６】本発明に係る履物の中敷に於ける実施例１に適用するО脚用補助部材を示す図面であって、(ａ)はО脚用補助部材の斜視図、（ｂ）は(ａ)の矢視Ｃ−Ｃ線方向から見た側面図である。
【図７】本発明に係る履物の中敷於ける実施例２を示す図面であって、中敷としての低反発部材に加え、該低反発部材の下面に敷設するＸ脚用補助部材を備えた斜視図である。
【図８】本発明に係る履物の中敷に於ける実施例２に適用するＸ脚用補助部材を示す図面であって、(ａ)はＸ脚用補助部材の斜視図、（ｂ）は(ａ)の矢視Ｄ―Ｄ線方向から見た側面図である。
【図９】本発明に係る履物の中敷於ける実施例３を示す図面であって、中敷としての低反発部材に加え、該低反発部材の下面に敷設する外反母趾用補助部材を備えた平面図である。
【図１０】本発明に係る履物の中敷に於ける実施例３に適用する外反母趾用補助部材を示す図面であって、(ａ)は外反母趾用補助部材の平面図、（ｂ）は(ａ)の矢視Ｅ―Ｅ線方向から見た側面図である。
【図１１】従来の技術に於ける一例であって中敷の構造を示す断面図である。
【符号の説明】
【００４９】
９        低反発部材
９Ａ      補助部材エリア
９Ｂ      補助部材エリア
９Ｃ      略中央部分
９ａ      生地
９ｂ      スキン
９ｃ      低反発本体部
９ｄ      フィルム
９ｅ      前方通気孔
９ｆ      後方通気孔
９ｇ      通気孔
９ｈ      外縁部
１０      ウォーターインソール
１０Ａ    ウォーターインソールの表面部材
１０Ｂ    ウォーターインソールの底面部材
１０Ｃ    空間部
１０ａ    前方凹陥部
１０ｂ    中間凹陥部
１０ｃ    芳香剤収納凹陥部
１０ｄ    後方凹陥部
１０ｅ    第５空間部
１０ｆ    第４空間部
１０ｇ    第３空間部
１０ｈ    第２空間部
１０ｉ    第１空間部
１０ｊ    調整カット溝
１１      芳香剤
１２      流動液
１３      О脚用補助部材
１３Ａ    О脚用補助部材の表面
１３Ｂ    О脚用補助部材の裏面
１３ａ    О脚用補助部材の頭部
１３ｂ    О脚用補助部材の一方側
１３ｃ    О脚用補助部材の他方側
１３ｄ    О脚用補助部材の斜面
１３ｅ    О脚用補助部材の先端
１４      Ｘ脚用補助部材
１４Ａ    Ｘ脚用補助部材の表面
１４Ｂ    Ｘ脚用補助部材の裏面
１４ａ    Ｘ脚用補助部材の頭部
１４ｂ    Ｘ脚用補助部材の一方側
１４ｃ    Ｘ脚用補助部材の他方側
１４ｄ    Ｘ脚用補助部材の斜面
１４ｅ    Ｘ脚用補助部材の先端
１５      外反母趾用補助部材
１５Ａ    外反母趾用補助部材の表面
１５Ｂ    外反母趾用補助部材の裏面
１５ａ    外反母趾用補助部材の前縁
１５ｂ    外反母趾用補助部材の後縁
１５ｃ    外反母趾用補助部材の左縁
１５ｄ    外反母趾用補助部材の右縁
１５ｅ    外反母趾用補助部材の傾斜面
１５ｆ    外反母趾用補助部材の傾斜面
【図１】
2010022519.tif 000003
【図２】
2010022519.tif 000004
【図３】
2010022519.tif 000005
【図４】
2010022519.tif 000006
【図５】
2010022519.tif 000007
【図６】
2010022519.tif 000008
【図７】
2010022519.tif 000009
【図８】
2010022519.tif 000010
【図９】
2010022519.tif 000011
【図１０】
2010022519.tif 000012
【図１１】
2010022519.tif 000013